(57)【要約】【課題】  手術器材の運用サイクルに係る一連の作業の中において容易に手術器材の詳細情報を取得して当該手術器材やコンテナの状態を確認し、廃棄等の必要な処理を効率的に実行することができる、手術器材管理端末、手術器材管理端末用プログラムおよび手術器材管理システムを提供する。【解決手段】  手術器材またはコンテナに付された識別コードを取得する識別コード取得部３５１と、識別コードの取得回数が２回以上であると判別された場合、または、表示手段に表示されている手術器材またはコンテナをユーザインターフェースを介して所定の選択動作により選択した場合、手術器材またはコンテナに対応付けられている詳細情報の送信を手術器材管理サーバ２に要求する詳細情報要求部３５４と、手術器材管理サーバ２から送信された詳細情報を表示手段３１に表示させる詳細情報表示部３５９とを有する。【選択図】  図９
2018183357.tif 000002
【特許請求の範囲】
【請求項１】
手術に使用される手術器材を管理する手術器材管理端末であって、
手術器材またはコンテナに付された識別コードを取得する識別コード取得部と、
前記識別コードの取得回数が２回以上であると判別された場合、または、表示手段に表示されている前記手術器材または前記コンテナをユーザインターフェースを介して所定の選択動作により選択した場合、前記手術器材または前記コンテナに対応付けられている詳細情報の送信を手術器材管理サーバに要求する詳細情報要求部と、
前記手術器材管理サーバから送信された前記詳細情報を前記表示手段に表示させる詳細情報表示部と
を有する、前記手術器材管理端末。
【請求項２】
組立セットを組み立てるセット組立工程において、前記詳細情報表示部は、２回以上取得された前記識別コードがコンテナの識別コードの場合、前記詳細情報とともに前記コンテナに対応する組立セットとして組み立てられた全ての手術器材の取得数量をリセットするリセットボタンを表示させるとともに、２回以上取得された前記識別コードが前記手術器材の識別コードの場合、前記詳細情報とともに前記コンテナに対応する組立セットとして組み立てられた手術器材から前記識別コードの付された手術器材を削除する削除ボタンを表示させる、請求項１に記載の手術器材管理端末。
【請求項３】
組立セットを組み立てるセット組立工程において、２回以上取得された前記識別コードが前記手術器材の前記識別コードの場合、前記詳細情報表示部が、前記詳細情報とともに前記手術器材の修理と廃棄とを選択可能な修理・廃棄選択メニューを表示させる、請求項１または請求項２に記載の手術器材管理端末。
【請求項４】
組立セットを組み立てるセット組立工程において、前記詳細情報表示部は、ユーザインターフェースを介して所定の選択動作により選択されたのが前記手術器材の場合、選択された前記手術器材を、前記詳細情報とともに前記コンテナに対応する組立セットリストから除外する除外ボタンを表示させる、請求項１に記載の手術器材管理端末。
【請求項５】
組立セットを組み立てるセット組立工程において、前記詳細情報表示部は、ユーザインターフェースを介して所定の選択動作により選択されたのが前記手術器材の場合、選択された前記手術器材の取得数量を、次回以降のセット組立工程における組立セットリストを構成する前記手術器材の数量に反映させるか否かを選択可能とする、数量固定選択ボタンを表示させる、請求項１または請求項４に記載の手術器材管理端末。
【請求項６】
手術に使用される手術器材を管理する手術器材管理端末用プログラムであって、
手術器材またはコンテナに付された識別コードを取得する識別コード取得部と、
前記識別コードの取得回数が２回以上であると判別された場合、または、表示手段に表示されている前記手術器材または前記コンテナをユーザインターフェースを介して所定の選択動作により選択した場合、前記手術器材または前記コンテナに対応付けられている詳細情報の送信を手術器材管理サーバに要求する詳細情報要求部と、
前記手術器材管理サーバから送信された前記詳細情報を前記表示手段に表示させる詳細情報表示部
としてコンピュータを機能させる、前記手術器材管理端末用プログラム。
【請求項７】
請求項１から請求項５のいずれかに記載の手術器材管理端末と、前記手術器材および前記コンテナに対応する各詳細情報が記憶されている手術器材管理サーバとを有する、手術器材管理システム。
【発明の詳細な説明】
【技術分野】
【０００１】
本発明は、手術に使用される手術器材を管理する手術器材管理端末、手術器材管理端末用プログラムおよび手術器材管理システムに関するものである。
【背景技術】
【０００２】
医療の分野では、手術において数多くの手術器材が用いられる。また、前記手術器材は洗浄等を行い、繰り返し使用される。現在の一般的な手術器材の運用サイクルは、図２５に示すように、手術後に手術器材の洗浄を行う洗浄工程と、洗浄した前記手術器材を組立セットにしてコンテナに組み立てるセット組立工程と、前記手術器材または前記手術器材が組み立てられたコンテナを滅菌処理する滅菌工程と、手術患者に応じて必要な手術器材およびコンテナを取揃える取揃え工程と、手術後に手術器材の員数確認を行う手術後チェック工程とから構成されている。
【０００３】
また、前記セット組立工程、前記取揃え工程および前記手術後チェック工程においては、組立セットリスト、取揃えリストおよび員数チェックリストといった手術器材の一覧を準備し、作業者は各リストを参照しながらセット組立等の作業を行っている。
【０００４】
また、これまでに、コンピュータを用いて前記手術器材の員数チェックを行うことのできる手術器材器管理システムに関する発明が提案されている。例えば、特開２００３−１６１９８号公報では、識別コードが設けられた手術器材と、前記識別コードを読み取る読取装置と、前記手術器材に関する器材データを予め記憶する記憶手段と、前記記憶手段に基づき前記手術器材を管理する管理装置とを備えた手術器材管理システムにおいて、医療行為に使用した手術器材に対し、医療行為後に前記読取装置により前記識別コードを読み取り、記憶されている前記器材データと比較して前記手術器材の管理を行う、手術器材管理システムが提案されている（特許文献１）。この特許文献１によれば、前記識別コードの読み取りには、医師や看護師といった熟練者は必要なく、人的コストを抑えることができるとされている。
【先行技術文献】
【特許文献】
【０００５】
【特許文献１】特開２００３−１６１９８号公報
【発明の概要】
【発明が解決しようとする課題】
【０００６】
ところで、前記セット組立工程、前記取揃え工程および前記手術後チェック工程では、セット組立作業等を行うときに、前記手術器材の損耗、変形および破損の確認を行っている。また、前記損耗等の確認作業は、前記手術器材の正常な状態や使用に際して許容される損耗の限界などが記載された取扱説明書などの詳細情報と比較しながら行われる。
【０００７】
しかしながら、従来、手術器材における詳細情報は紙ベースの資料によって管理されている。そのため、詳細情報へのアクセスに時間がかかり、作業の遅延につながっていた。また、特許文献１に記載された発明においては、手術器材の員数チェックに特化したものであるため手術器材の詳細なデータはデータベース化されていない。
【０００８】
本発明は、以上のような問題点を解決するためになされたものであって、手術器材の運用サイクルに係る一連の作業の中において容易に手術器材の詳細情報を取得して当該手術器材やコンテナの状態を確認し、廃棄等の必要な処理を効率的に実行することができる、手術器材管理端末、手術器材管理端末用プログラムおよび手術器材管理システムを提供することを目的としている。
【課題を解決するための手段】
【０００９】
本発明に係る手術器材管理端末およびコンピュータを手術器材管理端末として機能させる手術器材管理端末用プログラムは、手術器材の運用サイクルに係る一連の作業の中において容易に手術器材の詳細情報を得るという課題を解決するために、手術器材またはコンテナに付された識別コードを取得する識別コード取得部と、前記識別コードの取得回数が２回以上であると判別された場合、または、表示手段に表示されている前記手術器材または前記コンテナをユーザインターフェースを介して所定の選択動作により選択した場合、前記手術器材または前記コンテナに対応付けられている詳細情報の送信を手術器材管理サーバに要求する詳細情報要求部と、前記手術器材管理サーバから送信された前記詳細情報を前記表示手段に表示させる詳細情報表示部とを有する。
【００１０】
また、本発明の一態様として、識別コードに対応した手術器材に対して、詳細情報を確認した後にリセットや削除処理を速やかに連続して行うという課題を解決するために、組立セットを組み立てるセット組立工程において、前記詳細情報表示部は、２回以上取得された前記識別コードがコンテナの識別コードの場合、前記詳細情報とともに前記コンテナに対応する組立セットとして組み立てられた全ての手術器材の取得数量をリセットするリセットボタンを表示させるとともに、２回以上取得された前記識別コードが前記手術器材の識別コードの場合、前記詳細情報とともに前記コンテナに対応する組立セットとして組み立てられた手術器材から前記識別コードの付された手術器材を削除する削除ボタンを表示させるようにしてもよい。
【００１１】
さらに、本発明の一態様として、詳細情報の確認後に識別コードに対応した手術器材の修理または廃棄処理を速やかに連続して行うという課題を解決するために、組立セットを組み立てるセット組立工程において、２回以上取得された前記識別コードが前記手術器材の前記識別コードの場合、前記詳細情報表示部が、前記詳細情報とともに前記手術器材の修理と廃棄とを選択可能な修理・廃棄選択メニューを表示させるようにしてもよい。
【００１２】
また、本発明の一態様として、種別毎に管理する手術器材またはコンテナに対して、詳細情報の確認後に組立セットリストから速やかに除外する処理を行うという課題を解決するために、組立セットを組み立てるセット組立工程において、前記詳細情報表示部は、ユーザインターフェースを介して所定の選択動作により選択されたのが前記手術器材の場合、選択された前記手術器材を、前記詳細情報とともに前記コンテナに対応する組立セットリストから除外する除外ボタンを表示させるようにしてもよい。
【００１３】
さらに、本発明の一態様として、組み立てられた組立セットの手術器材およびその数量を次回以降のセット組立工程における組立セットの数量に反映させるという課題を解決するために、組立セットを組み立てるセット組立工程において、前記詳細情報表示部は、ユーザインターフェースを介して所定の選択動作により選択されたのが前記手術器材の場合、選択された前記手術器材の取得数量を、次回以降のセット組立工程における組立セットリストを構成する前記手術器材の数量に反映させるか否かを選択可能とする、数量固定選択ボタンを表示させるようにしてもよい。
【００１４】
本発明に係る手術器材管理システムは、手術器材の運用サイクルに係る一連の作業の中において容易に手術器材の詳細情報を得るという課題を解決するために、前記手術器材管理端末と、前記手術器材および前記コンテナに対応する各詳細情報が記憶されている手術器材管理サーバとを有する。
【発明の効果】
【００１５】
本発明によれば、手術器材の運用サイクルに係る一連の作業の中において容易に手術器材の詳細情報を取得して当該手術器材やコンテナの状態を確認し、廃棄等の必要な処理を効率的に実行することができる。
【図面の簡単な説明】
【００１６】
【図１】本発明に係る手術器材管理システムの一実施形態を示す概念図である。
【図２】本実施形態の手術器材管理サーバの構成を示すブロック図である。
【図３】本実施形態におけるＩＤ記憶部に記憶された各種データのイメージ図である。
【図４】本実施形態におけるマスター情報記憶部に記憶された各種データのイメージ図である。
【図５】本実施形態におけるセット組立テンプレート記憶部に記憶された各種データのイメージ図である。
【図６】本実施形態におけるセットリスト記憶部に記憶された各種データのイメージ図である。
【図７】本実施形態における組立器材テーブル記憶部に記憶された各種データのイメージ図である。
【図８】本実施形態における詳細情報記憶部に記憶された各種データのイメージ図である。
【図９】本発明に係る手術器材管理端末の一実施形態を示すブロック図である。
【図１０】本実施形態におけるセット組立工程を示すフローチャートである。
【図１１】本実施形態における組立処理を示すフローチャートである。
【図１２】本実施形態におけるコンテナＩＤ処理を示すフローチャートである。
【図１３】本実施形態における器材ＩＤ処理を示すフローチャートである。
【図１４】本実施形態における２度かざし処理を示すフローチャートである。
【図１５】本実施形態においてコンテナＩＤに関する詳細情報とともにリセットボタンを表示させた表示画面を示すスクリーンショット画像である。
【図１６】本実施形態において器材ＩＤに関する詳細情報とともに削除ボタンおよび修理・廃棄選択メニューを表示させた表示画面を示すスクリーンショット画像である。
【図１７】本実施形態において修理・廃棄選択メニューをプルダウン表示させた表示画面を示すスクリーンショット画像である。
【図１８】本実施形態においてＩＤ記憶部に記憶されているＩＤ番号「２」に対応する修理・廃棄状況を使用中の「０」から修理中の「１」に更新した場合のイメージ図である。
【図１９】本実施形態において組立セットリストを表示させた表示画面を示すスクリーンショット画像である。
【図２０】本実施形態における長押し処理を示すフローチャートである。
【図２１】本実施形態においてコンテナＩＤに関する詳細情報を表示させた表示画面を示すスクリーンショット画像である。
【図２２】本実施形態において器材ＩＤに関する詳細情報とともに除外ボタンおよび数量固定選択ボタンを表示させた表示画面を示すスクリーンショット画像である。
【図２３】本実施形態における登録処理を示すフローチャートである。
【図２４】他の実施形態におけるセット組立工程を示すフローチャートである。
【図２５】一般的な手術器材の運用サイクルを示す模式図である。
【発明を実施するための形態】
【００１７】
以下、本発明に係る手術器材管理端末、手術器材管理端末用プログラムおよび手術器材管理システムの一実施形態について図面を用いて説明する。
【００１８】
本実施形態の手術器材管理システム１は、図１に示すように、手術器材管理サーバ２と、この手術器材管理サーバ２にインターネット回線を介して接続された複数台の手術器材管理端末３とを有する。以下、各構成について詳細に説明する。なお、本実施形態の手術器材管理システム１は、手術器材の運用サイクル全体における管理に使用されるものであるが、ここでは主に、セット組立工程に関する構成について説明する。
【００１９】
本実施形態の手術器材管理サーバ２は、手術に使用される手術器材の管理に用いられるサーバであり、図２に示すように、主に、手術器材管理プログラム２ａおよび手術器材を管理する上で使用する各種データを記憶するサーバ記憶手段２１と、このサーバ記憶手段２１および手術器材管理端末３から各種データを取得して演算処理を実行するサーバ演算処理手段２２とを有する。
【００２０】
サーバ記憶手段２１は、ＲＯＭ、ＲＡＭ、ハードディスク、フラッシュメモリ等によって構成されており、各種のデータを記憶するとともに、サーバ演算処理手段２２が演算を実行する際のワーキングエリアとして機能するものである。図２に示すように、本実施形態におけるサーバ記憶手段２１は、主に、手術器材管理プログラム２ａを記憶するプログラム記憶部２１１とともに、ＩＤ記憶部２１２、マスター情報記憶部２１３、セット組立テンプレート記憶部２１４、セットリスト記憶部２１５、組立器材テーブル記憶部２１６、および詳細情報記憶部２１７を有する。
【００２１】
プログラム記憶部２１１には、本実施形態の手術器材管理プログラム２ａがインストールされている。そして、サーバ演算処理手段２２が、前記手術器材管理プログラム２ａを実行し、後述する各構成部として機能させることにより、コンピュータを手術器材管理サーバ２として機能させるようになっている。
【００２２】
なお、手術器材管理プログラム２ａの利用形態は、上記構成に限られるものではない。例えば、ＣＤ−ＲＯＭやＵＳＢメモリ等のように、コンピュータで読み取り可能な非一時的な記録媒体に手術器材管理プログラム２ａを記憶させておき、この記録媒体から直接読み出して実行してもよい。また、外部サーバ等からクラウドコンピューティング方式やＡＳＰ（application service provider）方式等で利用してもよい。
【００２３】
ＩＤ記憶部２１２は、図３に示すように、各手術器材に付された識別コードまたは各コンテナに付された識別コードとともに、前記識別コードに対応する器材ＩＤまたはコンテナＩＤ、器材種別、器材状況、セットＩＤおよび修理・廃棄状況を記憶している。
【００２４】
識別コードは、個々の手術器材およびコンテナを識別するために付された固有のコードであり、２つとして同じ識別コードを有するものはない。よって、ＩＤ記憶部２１２には、管理を行う手術器材およびコンテナの合計数量に相当する識別コードが記憶されている。本実施形態における識別コードは、ＲＦＩＤ（radio frequency identifier）、一次元シンボル、二次元シンボルおよびカラーバーコード等により管理される任意の文字および数字の組合せからなる。
【００２５】
ここで、本実施形態における識別コードの装着形態について説明する。各手術器材には、主にＲＦＩＤが直接的に装着されている。また、ＲＦＩＤを装着できない手術器材には、一次元シンボル、二次元シンボルまたはカラーバコードが、インクによりプリントされているかまたはレーザー、ドットピン、エッチングまたはサンドブラスト等により刻み込まれている。また、コンテナはコンテナ本体に着脱可能なタグが取り付けられている。そして、前記タグは、ＲＦＩＤとともに一次元シンボルをプリントした用紙を備えており、手術器材管理端末３の識別コード読取手段３３であるＲＦＩＤリーダーおよびバーコードスキャナのいずれでも読み取りされるようになっている。
【００２６】
なお、本実施形態では、ＩＤ記憶部２１２において識別コードを管理しているが、これに限定されるものではなく、ＩＤ記憶部２１２とは別にＩＤ記憶部２１２のＩＤ番号に対応付けて識別コードを管理する識別コード管理記憶部を備えていてもよい。このようにＩＤ記憶部２１２と識別コードを別に管理することにより、ＲＦＩＤが故障した場合または二次元シンボル等が摩耗により読み取り不可になった場合に、識別コード管理記憶部において、故障したＲＦＩＤまたは摩耗した二次元シンボルの識別コードを、新たなＲＦＩＤまたは新たな二次元シンボルの識別コードに変更することだけで、他の記憶部の情報を変更する必要がなく便利である。
【００２７】
器材ＩＤは、手術器材の種別毎に割り当てられたＩＤである。つまり、同じ種別の手術器材には同じ器材ＩＤが割り当てられている。本実施形態では、図４に示すように、例えば、ベックマン氏剪刀に対しては器材ＩＤとして「１」が割り当てられている。なお、器材ＩＤに対応する手術器材の名称の情報は、図４に示すマスター情報記憶部２１３に記憶されており、ＩＤ記憶部２１２では器材ＩＤのみが記憶されている。
【００２８】
コンテナＩＤは、組立セット毎に割り当てられたＩＤである。組立セットとは、手術に使用される各種の手術器材のセットである。前記コンテナＩＤは、手術器材と同様に、同じ内容の組立セットには同じコンテナＩＤが割り当てられる。例えば、図４に示すように、整形外科セットに対してはコンテナＩＤとして「１００」が割り当てられている。なお、コンテナＩＤに対応する組立セット名称は、器材ＩＤと同様、図４に示すマスター情報記憶部２１３に記憶されており、ＩＤ記憶部２１２ではコンテナＩＤのみが記憶されている。
【００２９】
器材種別は、識別コードに対応する種別が手術器材かコンテナかを区別する情報である。例えば手術器材には「０」が割り当てられており、コンテナには「１」が割り当てられている。
【００３０】
器材状況は、手術器材およびコンテナが現在、運用サイクルのどの工程にあるのかに関する情報である。本実施形態では、洗浄工程後の場合には「０」が割り当てられ、セット組立工程後の場合には「１」が割り当てられ、滅菌工程後の場合には「２」が割り当てられ、取揃え工程後の場合には「３」が割り当てられ、、手術後チェック工程後の場合には「４」が割り当てられている。これらの器材状況は、運用サイクルの各工程が終了するごとに後述する器材状況更新部２３０によって適宜書き換えられる。
【００３１】
セットＩＤは、組み立てられた組立セットの手術器材と、前記組立セットを収容したコンテナとを紐付けるために割り当てられるＩＤである。本実施形態では、セット組立工程が終了した際に、実際にセットされている手術器材およびコンテナの識別コードに対して同じ番号のセットＩＤが割り当てられる。また、セット組立される前の手術器材およびコンテナの識別コードに対しては「−１」が割り当てられている。
【００３２】
修理・廃棄状況は、現在の手術器材またはコンテナの状況に関する情報である。本実施形態では、手術器材またはコンテナの状況が使用中の場合には「０」が割り当てられており、修理中の場合には「１」が割り当てられており、廃棄された場合には「２」が割り当てられている。
【００３３】
次に、マスター情報記憶部２１３について説明する。マスター情報記憶部２１３は、器材ＩＤまたはコンテナＩＤに対応付けられたマスター情報を記憶するものであり、本実施形態では、図４に示すように、器材ＩＤまたはコンテナＩＤに対応付けてその器材名称または組立セット名称、および器材種別を記憶している。器材名称は器材ＩＤに対応した手術器材の名称であり、組立セット名称はコンテナＩＤに対応した組立セットの名称である。これらの名称は、初期設定時に任意に設定することができる。また、器材種別は、ＩＤ記憶部２１２における器材種別と同じものであり、手術器材に対しては「０」が割り当てられており、コンテナに対しては「１」が割り当てられている。
【００３４】
セット組立テンプレート記憶部２１４は、組立セットリストを取得するための情報が記憶されており、本実施形態では、図５に示すように、コンテナＩＤに対応付けて組立セットを構成する器材ＩＤおよびその数量と、手術器材管理端末３において組立セットリストを表示手段３１に表示させるときの並び順とを記憶している。このセット組立テンプレート記憶部２１４は、書き換え可能な情報であり、後述する登録処理において適宜更新することで、前記コンテナＩＤに対応する今回の組立セットの構成を、次回以降のセット組立工程における組立セットリストとして反映させることができる。
【００３５】
セットリスト記憶部２１５は、後述するセットリスト取得部２２３がセット組立テンプレート記憶部２１４から取得した組立セットリストを記憶するものであり、本実施形態では、図６に示すように、器材ＩＤに対応付けて器材名称、数量、取得数量、並び順および数量固定フラグを記憶している。ここで器材名称はセットリスト取得部２２３によってマスター情報記憶部２１３から取得されたものであり、数量および並び順はセットリスト取得部２２３によってセット組立テンプレートから取得されたものである。また、取得数量は、後述するＩＤ取得部２２１によって器材ＩＤが取得されることにより後述する組立セット更新部２２６によりインクリメントされる数値であり、前記器材ＩＤの取得回数をカウントしたものである。
【００３６】
また、数量固定フラグは、手術器材管理端末３から登録指示を受信したときに、追加更新された器材ＩＤまたは数量が変更された器材ＩＤに対応する取得数量を、次回以降のセット組立工程における組立セットリストを構成する器材ＩＤまたは器材ＩＤの数量に反映させるか否かを判別するためのフラグであり、本実施形態では、固定状態のフラグと非固定状態のフラグとからなる。器材ＩＤに対する数量固定フラグが固定状態の場合は、後述するテンプレート更新部２２８が、器材ＩＤの追加更新または器材ＩＤの数量変更を今回のセット組立工程のみの変更であるとして、次回以降のセット組立工程における組立セットリストには反映させないものと判別する。一方、器材ＩＤに対する数量固定フラグが非固定状態の場合には、テンプレート更新部２２８が、器材ＩＤの追加更新または器材ＩＤの数量変更をを次回以降のセット組立工程における組立セットリストを構成する器材ＩＤまたは器材ＩＤの数量に反映させるものと判別する。つまり、本実施形態では、器材ＩＤごとに前記数量固定フラグを固定状態または非固定状態に設定することで、器材ＩＤの追加更新または器材ＩＤの数量変更があった場合に、今回のセット組立工程のみ変更する器材ＩＤと、次回以降のセット組立工程にもその変更を反映させる器材ＩＤとを器材ＩＤごとに管理することができる。
【００３７】
本実施形態における数量固定フラグには、組立セットリストを構成する器材ＩＤまたは器材ＩＤの数量を固定する固定状態に対して「０」が割り当てられており、数量を変更可能にする非固定状態に対して「１」が割り当てられている。この数量固定フラグは、数量固定フラグ変更部２２７が、器材ＩＤ照合部２２５によって照合された器材ＩＤが組立セットリストを構成する器材ＩＤの全てと一致しない場合、前記器材ＩＤが前記組立セットリストを構成する器材ＩＤのいずれかと一致しかつその取得数量が前記組立セットリストの前記器材ＩＤの数量を超える場合、および手術器材管理端末３により数量固定選択ボタンが操作されたタイミングにおいて手術器材端末からの指示があった場合に、それぞれ変更することができるようになっている。
【００３８】
組立器材テーブル記憶部２１６は、手術器材管理端末３から登録指示があったときに、セットリスト記憶部２１５の組立セットリストに記憶されている器材ＩＤおよびその取得数量をセットＩＤに対応付けて記憶するものである。本実施形態における組立器材テーブル記憶部２１６は、図７に示すように、セットＩＤに対応付けて、器材ＩＤ、取得数量、数量、並び順および数量固定フラグを記憶している。ここで、セットＩＤは、セット組立工程において手術器材管理端末３から登録指示があった時に適宜割り当てられるようになっている。
【００３９】
詳細情報記憶部２１７は、手術器材またはコンテナに収容される組立セットの詳細情報を記憶するものである。本実施形態における詳細情報記憶部２１７は、図８に示すように、器材ＩＤまたはコンテナＩＤに対応付けて、詳細情報種別、情報パスおよび表示順が記憶されている。
【００４０】
詳細情報種別は、詳細情報として記憶されているデータ形式に関する種別を記憶するものであり、本実施形態では、jpgなどの画像に係るデータ形式に対しては「１」が割り当てられており、txtなどのテキスト情報に係るデータ形式に対しては「２」が割り当てられている。
【００４１】
なお、本実施形態における詳細情報は、画像データおよびテキストデータに限定されるものではなく、pdf形式データ、mpegなどの動画データなど、詳細情報を伝達する手段として用いられる種々のデータ形式から適宜選択してもよい。
【００４２】
情報パスは、詳細情報に関するものである。例えば、図８に示す器材ＩＤ「２」については、２つの詳細情報が記憶されており、画像に係る「モスキートコッヘル  曲.jpg」と、テキスト情報に係る「注意事項（モスキートコッヘル  曲）.txt」が記憶されている。本実施形態において前記画像および前記テキスト情報は、図１５等に示すように、詳細情報を表示する際のサムネイル表示のデータとしても使用される。
【００４３】
次に、サーバ演算処理手段２２について説明する。サーバ演算処理手段２２は、ＣＰＵ（Central Processing Unit）等から構成されており、サーバ記憶手段２１にインストールされた手術器材管理プログラム２ａを実行させることにより、図２に示すように、手術器材管理サーバ２としてのコンピュータを、ＩＤ取得部２２１、器材種別判別部２２２、セットリスト取得部２２３、セットリスト送信部２２４、器材ＩＤ照合部２２５、組立セット更新部２２６、数量固定フラグ変更部２２７、テンプレート更新部２２８、組立セット確定部２２９、器材状況更新部２３０、詳細情報取得部２３１および詳細情報送信部２３２として機能させるようになっている。
【００４４】
ＩＤ取得部２２１は、ＩＤ記憶部２１２から識別コードに対応する器材ＩＤまたはコンテナＩＤを取得するものである。本実施形態におけるＩＤ取得部２２１は、手術器材管理端末３から送信された識別コードとＩＤ記憶部２１２に記憶された識別コードとを照合し、一致する前記識別コードに対応付けられている器材ＩＤまたはコンテナＩＤを取得する。
【００４５】
器材種別判別部２２２は、手術器材管理端末３によって読み取られた識別コードが手術器材に付された識別コードか、それともコンテナに付された識別コードかを判別するものである。本実施形態における器材種別判別部２２２は、ＩＤ記憶部２１２において識別コードに対応付けられた器材種別の情報が「０」か「１」かを判別し、「０」である場合には識別コードに係る器材種別が手術器材であると判別し、「１」である場合には識別コードに係る器材種別がコンテナであると判別する。
【００４６】
セットリスト取得部２２３は、前記コンテナＩＤに対応付けられた器材ＩＤおよびその数量から構成される組立セットリストを取得するものである。本実施形態におけるセットリスト取得部２２３は、セット組立テンプレート記憶部２１４からＩＤ取得部２２１により取得されたコンテナＩＤに対応付けられた器材ＩＤおよびその数量を取得し、組立セットリストとしてセットリスト記憶部２１５に記憶させる。
【００４７】
セットリスト送信部２２４は、取得された組立セットリストまたは取得された手術器材の情報を手術器材管理端末３に送信するものである。本実施形態におけるセットリスト送信部２２４は、セットリスト記憶部２１５の更新がなされる毎に送信する。これにより、手術器材管理端末３では、組立セットリストまたは取得された手術器材の情報を受信し、その情報を表示手段３１に表示させるようになっている。
【００４８】
器材ＩＤ照合部２２５は、取得した器材ＩＤと組立セットリストを構成する器材ＩＤとを照合するものである。本実施形態における器材ＩＤ照合部２２５は、ＩＤ取得部２２１により取得した器材ＩＤと、セットリスト取得部２２３により取得した組立セットリストとを照合し、前記組立セットリストを構成するいずれかの器材ＩＤと一致するか否かを判別するとともに、もし前記組立セットリストを構成する器材ＩＤのいずれかと一致していた場合にはさらにその取得数量が前記組立セットリストの前記器材ＩＤの数量を超えるか否かを判別する。
【００４９】
組立セット更新部２２６は、ＩＤ取得部２２１により取得された器材ＩＤに応じて組立セットリストを更新するものである。例えば、組立セット更新部２２６は、器材ＩＤ照合部２２５によって照合された器材ＩＤが組立セットリストを構成する器材ＩＤの全てと一致しない場合には、手術器材管理端末３からの指示に応じて前記器材ＩＤを前記組立セットリストに追加更新するとともに、組立セットリストを構成する器材ＩＤと一致した場合には前記器材ＩＤに係る取得数量をインクリメントする。
【００５０】
数量固定フラグ変更部２２７は、数量固定フラグを手術器材管理端末３からの指示に応じて固定状態または非固定状態に変更するものである。本実施形態における数量固定フラグ変更部２２７は、器材ＩＤ照合部２２５によって照合された器材ＩＤが組立セットリストを構成する器材ＩＤの全てと一致しない場合、前記器材ＩＤが前記組立セットリストを構成する器材ＩＤのいずれかと一致しかつその取得数量が前記組立セットリストの前記器材ＩＤの数量を超える場合、および手術器材管理端末３により数量固定選択ボタンが操作されたタイミングにおいて、手術器材端末からの指示があった場合に、その指示に応じて固定状態を非固定状態に変更する、または非固定状態を固定状態に変更する。
【００５１】
テンプレート更新部２２８は、セットリスト記憶部２１５に記憶されている組立セットリストの器材ＩＤごとに数量固定フラグが固定状態か非固定状態かを判別し、非固定状態である器材ＩＤについては、前記組立セットリストに記憶されている前記器材ＩＤおよびその取得数量をセット組立テンプレート記憶部２１４においてコンテナＩＤに対応付けて記憶される前記器材ＩＤおよびその数量に更新する。
【００５２】
組立セット確定部２２９は、手術器材管理端末３からの登録指示に応じて、今回のセット組立工程においてコンテナに組み立てられた手術器材を確定するものであり、セットリスト記憶部２１５に記憶された組立セットリストの器材ＩＤとその取得数量をセットＩＤに対応付けて組立器材テーブル記憶部２１６に記憶させる。
【００５３】
器材状況更新部２３０は、各工程終了時に識別コードに対応したＩＤ記憶部２１２の器材状況を更新するものである。具体的には、前記器材状況更新部２３０が、識別コードに対応したＩＤ記憶部２１２の器材状況を洗浄工程終了時には「０」に更新し、セット組立工程終了時には「１」に更新し、滅菌工程終了時には「２」に更新し、取揃え工程終了時には「３」に更新し、手術後チェック工程終了時には「４」に更新する。
【００５４】
詳細情報取得部２３１は、手術器材管理端末３からの詳細情報の要求に応じて、識別コードまたは器材ＩＤもしくはコンテナＩＤに対応した詳細情報を詳細情報記憶部２１７から取得するものである。本実施形態における詳細情報取得部２３１は、詳細情報記憶部２１７に記憶されている器材ＩＤまたはコンテナＩＤに対応付けられた詳細情報種別、情報パスおよび表示順を取得する。
【００５５】
詳細情報送信部２３２は、詳細情報取得部２３１によって取得された詳細情報を、詳細情報を要求した手術器材管理端末３に送信するものである。また、本実施形態における詳細情報送信部２３２は、前記詳細情報取得部２３１によって取得された前記詳細情報とともに、器材ＩＤもしくはコンテナＩＤに対応した器材種別の情報を送信するようになっている。
【００５６】
次に、本実施形態の手術器材管理端末３について説明する。本実施形態の手術器材管理端末３は、手術に使用される手術器材の管理に用いられる端末であり、図９に示すように、主に、組立セットリスト等を表示する表示手段３１と、この表示手段３１と一体的に構成されたタッチパネル式の入力手段３２と、識別コードを読み取る識別コード読取手段３３と、手術器材管理端末用プログラム３ａおよび前記識別コード読取手段３３により読み取られた識別コードを記憶する端末記憶手段３４と、さらに前記識別コード読取手段３３、前記入力手段３２および手術器材管理サーバ２から各種データを取得して演算処理を実行する端末演算処理手段３５とを有する。
【００５７】
表示手段３１は、各工程において組立セットリストおよび手術器材に関する各種情報を表示させるものである。本実施形態における表示手段３１は、タッチパネル式の液晶ディスプレイによって構成されており、入力手段３２を兼ねている。
【００５８】
入力手段３２は、手術器材管理端末３を操作するユーザインターフェースであり、本実施形態では、上述のとおり、表示手段３１の画面部分と一体的に構成されたタッチパネルからなる。なお、入力手段３２は、タッチパネルに限定されるものではなく、キーボード、マウス等によって構成されていてもよい。
【００５９】
識別コード読取手段３３は、ＲＦＩＤ、一次元シンボル、二次元シンボルまたはカラーバーコードを読み取ることのできるものであり、ＲＦＩＤを読み取るＲＦＩＤリーダー、一次元シンボルを読み取るバーコードスキャナ、二次元シンボルおよびカラーバーコードを読み取るカメラにより構成される。本実施形態では、パーソナルコンピュータからなる据置型の手術器材管理端末３においては識別コード読取手段３３としてＲＦＩＤリーダーを備えており、小型コンピュータからなる携帯型の手術器材管理端末３においては識別コード読取手段３３としてバーコードスキャナおよびカメラを備えている。なお、手術器材およびコンテナに識別コードを付することができない場合は、入力手段３２により直接、文字および数字を入力して識別コードを取得することもできる。
【００６０】
次に、端末記憶手段３４は、手術器材管理サーバ２のサーバ記憶手段２１と同様に、ＲＯＭ、ＲＡＭ、ハードディスク、フラッシュメモリ等によって構成されており、各種のデータを記憶するとともに、端末演算処理手段３５が演算を実行する際のワーキングエリアとして機能するものである。本実施形態における端末記憶手段３４は、主に、手術器材管理端末用プログラム３ａを記憶するプログラム記憶部３４１と、識別コード読取手段３３によって読み取られた識別コードを記憶する識別コード記憶部３４２とを有する。
【００６１】
プログラム記憶部３４１には、本実施形態の手術器材管理端末用プログラム３ａがインストールされている。そして、端末演算処理手段３５が、前記手術器材管理端末用プログラム３ａを実行し、後述する各構成部として機能させることにより、コンピュータを手術器材管理端末３として機能させるようになっている。
【００６２】
なお、手術器材管理端末用プログラム３ａの利用形態は、上記構成に限られるものではない。例えば、ＣＤ−ＲＯＭやＵＳＢメモリ等のように、コンピュータで読み取り可能な非一時的な記録媒体に手術器材管理端末用プログラム３ａを記憶させておき、この記録媒体から直接読み出して実行してもよい。また、外部サーバ等からクラウドコンピューティング方式やＡＳＰ方式等で利用してもよい。
【００６３】
識別コード記憶部３４２は、識別コード読取手段３３によって読み取られた識別コードを記憶するものであり、本実施形態では、器材ＩＤごとに、後述する識別コード取得部３５１により前記識別コード読取手段３３を介して取得された前記識別コードを記憶する。つまり、識別コード記憶部３４２は、複数の器材ＩＤと、当該器材ＩＤに対応した複数の識別コードとからなる二次元配列で記憶される。
【００６４】
次に、端末演算処理手段３５は、手術器材管理サーバ２のサーバ演算処理手段２２と同様に、ＣＰＵ等から構成されており、プログラム記憶部３４１にインストールされた手術器材管理端末用プログラム３ａを実行させることにより、図９に示すように、手術器材管理端末３としてのコンピュータを、識別コード取得部３５１、識別コード送信部３５２、識別コード取得回数判別部３５３、詳細情報要求部３５４、表示制御部３５５、器材種別判別部３５６、セットリスト更新指示部３５７および登録指示送信部３５８として機能させるようになっている。
【００６５】
識別コード取得部３５１は、識別コード読取手段３３または入力手段３２を介して手術器材またはコンテナに付された識別コードを取得するものである。つまり、識別コード取得部３５１は、手術器材またはコンテナに装着されたＲＦＩＤにより記憶された識別コードのテキストデータ、一次元シンボル、二次元シンボルまたはカラーバーコードのルールに従ったテキストデータを取得し、識別コード記憶部３４２に記憶させる。
【００６６】
識別コード送信部３５２は、識別コード取得部３５１によって取得された識別コードを手術器材管理サーバ２に送信するものである。本実施形態では、後述するように、識別コード送信部３５２が、手術器材管理サーバ２に識別コードを送信することで、手術器材管理サーバ２では組立処理が実行される。
【００６７】
識別コード取得回数判別部３５３は、識別コードの取得回数が２回以上であるか否かを判別するものである。本実施形態における識別コード取得回数判別部３５３は、前記識別コードが識別コード記憶部３４２に記憶された識別コードのいずれかと一致するか否かを照合し、一致する識別コードがあった場合は前記識別コードの取得回数が２回以上であると判別するようになっている。
【００６８】
詳細情報要求部３５４は、識別コード取得回数判別部３５３によって識別コードの取得回数が２回以上であると判別された場合、または、表示手段３１に表示されている前記手術器材または前記コンテナの情報をユーザインターフェースを介して所定の選択動作により選択した場合に、前記手術器材または前記コンテナに対応付けられている詳細情報の送信を手術器材管理サーバ２に要求するものである。
【００６９】
本実施形態では、識別コードの取得回数が２回以上であると判別された場合には、詳細情報要求部３５４が、手術器材管理サーバ２に対して前記識別コードを送信することで詳細情報の要求を行う。また、表示手段３１に表示されている前記手術器材または前記コンテナがユーザインターフェースを介して所定の選択動作により選択された場合には、詳細情報要求部３５４が、手術器材管理サーバ２に対して器材ＩＤまたはコンテナＩＤを送信することで詳細情報の要求を行う。
【００７０】
ここでユーザインターフェースを介した所定の選択動作としては、表示画面上の該当箇所の長押し、クリック、ダブルクリックまたはフリック等があり、本実施形態における詳細情報要求部３５４は、コンマ数秒〜数秒以上の時間、該当箇所を長押した場合に詳細情報の要求を行うようになっている。
【００７１】
表示制御部３５５は、手術器材管理サーバ２から送信された組立セットリストまたは手術器材の情報を表示手段３１に表示させるものである。また、本実施形態における表示制御部３５５は、組立セットを組み立てるセット組立工程において詳細情報を受信し、手術器材またはコンテナの組立処理を連続して行うことができるように、詳細情報とともに種々のボタンおよびメニューを表示させる詳細情報表示部３５９を有している。
【００７２】
詳細情報表示部３５９は、識別コード取得部３５１により２回以上取得された識別コードがコンテナに係る識別コードの場合には、詳細情報とともに前記コンテナに対応する組立セットとして組み立てられた全ての手術器材の取得数量をリセットするための「リセットボタン」を表示させる。
【００７３】
これに対し、詳細情報表示部３５９は、２回以上取得された前記識別コードが前記手術器材の識別コードの場合には、前記詳細情報とともに前記コンテナに対応する組立セットとして組み立てられた手術器材から前記識別コードの付された手術器材を削除するための「削除ボタン」を表示させる。また、組立セットとして組み立てられた手術器材から前記識別コードの付された手術器材を削除すると同時に、前記手術器材の修理または廃棄を行うための、前記手術器材の修理と廃棄とを選択可能なプルダウン式の「修理・廃棄選択メニュー」を表示させる。
【００７４】
また、詳細情報表示部３５９は、ユーザインターフェースを介して所定の選択動作により前記手術器材が選択された場合、前記詳細情報とともにその手術器材を前記コンテナに対応する組立セットリストから除外するための「除外ボタン」を表示させる。さらに、詳細情報表示部３５９は、選択された前記手術器材を前記コンテナに対応する組立セットリストから除外した情報を、次回以降のセット組立工程における組立セットリストに反映させるために、選択された前記手術器材の取得数量を、次回以降のセット組立工程における組立セットリストを構成する前記手術器材の数量に反映させるか否かを選択可能とする、「数量固定選択ボタン」を表示させる。
【００７５】
器材種別判別部３５６は、手術器材管理サーバ２の器材種別判別部２２２と同様に、手術器材管理端末３によって読み取られた識別コードが手術器材に付された識別コードか、それともコンテナに付された識別コードかを判別するものである。本実施形態における器材種別判別部３５６は、手術器材管理サーバ２から詳細情報とともに送信される識別コードに対応付けられた器材種別の情報が「０」か「１」かを判別し、「０」である場合には前記識別コードに係る器材種別が手術器材であると判別し、「１」である場合には前記識別コードに係る器材種別がコンテナであると判別する。
【００７６】
セットリスト更新指示部３５７は、詳細情報表示部３５９によって表示された削除ボタン、修理・廃棄選択メニュー、除外ボタンおよび数量固定選択ボタンに応じて、手術器材管理サーバ２に対しそのセットリスト記憶部２１５に記憶された組立セットリストの更新の指示情報およびＩＤ記憶部２１２に記憶された識別コードに対応した修理・廃棄情報の更新の指示情報を送信するものである。
【００７７】
登録指示送信部３５８は、セット組立が終了したときに手術器材管理サーバ２に対して組立セットを登録する指示を送信するものであり、本実施形態では、表示制御部３５５によって表示手段３１に表示された登録ボタンが押されることにより登録指示の情報を前記手術器材管理サーバ２に送信する。
【００７８】
つぎに、本実施形態の手術器材管理システム１における各構成の作用について説明する。
【００７９】
セット組立工程では、図１０に示すように、まず、手術器材管理端末３による識別コード取得ループが実行される（ステップＳ１〜ステップＳ１’）。具体的には、識別コード取得部３５１が、識別コード読取手段３３を介して手術器材またはコンテナに装着された識別コードを取得する（ステップＳ２）。
【００８０】
次に、識別コード取得回数判別部３５３が、手術器材管理端末３の識別コード記憶部３４２に、前記識別コード取得部３５１により取得された識別コードと一致するものがあるか否かを判別する（ステップＳ３）。ここで、識別コード取得回数判別部３５３が、一致するものがないと判別した場合には（ステップＳ３：ＮＯ）、識別コード送信部３５２が、識別コードを手術器材管理サーバ２に送信する（ステップＳ４）。
【００８１】
手術器材管理サーバ２では、手術器材管理端末３Ａから識別コードが送信されたのを契機として、前記手術器材管理端末３から受信した識別コードに基づき組立処理を実行する。組立処理について簡単に説明すると、図１１に示すように、ＩＤ取得部２２１が、手術器材管理端末３から送信された識別コードを受信する（ステップＳＡ１）。次に、ＩＤ取得部２２１が、ＩＤ記憶部２１２から前記識別コードと一致するものを検索する（ステップＳＡ２）。そして、ＩＤ取得部２２１が、検索された識別コードに対応して記憶されている器材ＩＤまたはコンテナＩＤを取得する（ステップＳＡ３）。そして、ＩＤ取得部２２１は、マスター情報記憶部２１３から取得した器材ＩＤまたはコンテナＩＤに対応する名称を取得する（ステップＳＡ４）。
【００８２】
さらに、器材種別判別部２２２が、受信した識別コードに係る器材種別が器材ＩＤに対応するものか、それともコンテナＩＤに対応するものか判別する（ステップＳＡ５）。具体的には、器材種別判別部２２２は、識別コードに対応した器材種別が「１」の場合には（ステップＳＡ５：１）、前記識別コードに対応する器材種別がコンテナであると判別してコンテナＩＤ処理に進む。一方、器材種別判別部２２２は、識別コードに対応した器材種別が「０」である場合には（ステップＳＡ５：０）、前記識別コードに対応する器材種別が手術器材であると判別して器材ＩＤ処理に進む。
【００８３】
次に、コンテナＩＤ処理について説明する。コンテナＩＤ処理では、図１２に示すように、セットリスト取得部２２３が、セット組立テンプレート記憶部２１４からコンテナＩＤに対応する器材ＩＤとその数量を取得する（ステップＳＢ１）。次に、セットリスト取得部２２３は、マスター情報記憶部２１３に記憶されている器材ＩＤに対応した名称とともに、セット組立テンプレート記憶部２１４から取得した器材ＩＤとその数量を組立セットリストとしてセットリスト記憶部２１５に記憶させる（ステップＳＢ２）。そして、セットリスト送信部２２４がセットリスト記憶部２１５に記憶されている組立セットリストを手術器材管理端末３に送信する（ステップＳＢ３）。これにより、手術器材管理サーバ２では、コンテナＩＤ処理および組立処理が終了する。
【００８４】
一方、器材ＩＤ処理では、図１３に示すように、組立セット更新部２２６がセットリスト記憶部２１５に記憶されている組立セットリストの前記器材ＩＤ対応する取得数量をインクリメントする（ステップＳＣ１）。そして、セットリスト記憶部２１５に記憶された器材ＩＤおよびその取得数量を手術器材管理端末３に送信する（ステップＳＣ２）。これにより、手術器材管理サーバ２では、器材ＩＤ処理および組立処理が終了する。
【００８５】
これに対し、手術器材管理端末３では、図１０に示すように、表示制御部３５５が受信した組立セットリストを表示手段３１に表示させる。
【００８６】
以上のような、識別コードの取得および組立処理を行う識別コード取得ループ（ステップＳ１〜ステップＳ１’）は、手術器材管理端末３において登録ボタンが選択されるまで実行される。
【００８７】
次に、本実施形態における詳細情報の要求について説明する。詳細情報の要求は、少なくとも１つの識別コードに対応した組立処理が実行された後における、上述の識別コード取得ループ（ステップＳ１〜ステップＳ１’）内のいずれかのタイミングで行われる。
【００８８】
例えば、ステップＳ３に戻って、識別コード取得回数判別部３５３が、これまでに組立処理を実行した識別コードと一致するものがあると判段して取得回数が２回以上であると判別した場合には（ステップＳ３：ＹＥＳ）、ユーザが取得された前記識別コードに係る手術器材またはコンテナの詳細情報の要求を行ったものとして、２度かざし処理に進む。つまり、ユーザは、手に持っている手術器材またはコンテナが損耗、変形および破損しているか否かを確認したい場合には、前記手術器材または前記コンテナに係る識別コードを手術器材管理端末３における識別コード読取手段３３にもう一度（２回以上）かざすことで、以下のように、詳細情報にアクセスすることができる。
【００８９】
２度かざし処理では、図１４に示すように、詳細情報要求部３５４が識別コードを手術器材管理サーバ２に送信して前記識別コードに対応した詳細情報を要求する（ステップＳＤ１）。
【００９０】
手術器材管理サーバ２では、ＩＤ取得部２２１が、ＩＤ記憶部２１２から前記識別コードと一致するものを検索する（ステップＳＤ２）。そして、ＩＤ取得部２２１が、検索された識別コードに対応して記憶されている器材ＩＤまたはコンテナＩＤを取得する（ステップＳＤ３）。例えば、受信した識別コードが、図３に示すＩＤ記憶部２１２に記憶された「E00401502F133D30」であった場合（ＩＤ番号が「２」の場合）、対応する器材ＩＤ・コンテナＩＤに記憶された「２」を器材ＩＤまたはコンテナＩＤとして取得する。
【００９１】
次に、詳細情報取得部２３１が、詳細情報記憶部２１７からＩＤ取得部２２１によって取得された器材ＩＤまたはコンテナＩＤに対応する詳細情報を取得する（ステップＳＤ４）。例えば、ＩＤ取得部２２１により取得された器材ＩＤまたはコンテナＩＤが「２」であった場合には、詳細情報取得部２３１は、図８に示す詳細情報記憶部２１７に記憶された器材ＩＤ・コンテナＩＤ「２」に対応する、詳細情報種別「１」、情報パス「モスキートコッヘル曲.jpg」および表示順「１」と、詳細情報種別「２」、情報パス「注意事項（モスキートコッヘル曲）.txt」および表示順「２」とを取得する。
【００９２】
そして、詳細情報送信部２３２が、詳細情報取得部２３１により取得した詳細情報とともに、識別コードに対応した器材種別を手術器材管理端末３に送信する（ステップＳＤ５）。
【００９３】
これに対し、手術器材管理端末３では、表示制御部３５５が詳細情報および器材種別を受信する（ステップＳＤ６）。そして、器材種別判別部３５６が、識別コードに係る器材種別を判別する（ステップＳＤ７）。
【００９４】
ここで器材種別判別部３５６が、識別コードに係る器材種別をコンテナＩＤに係るものであると判別した場合には（ステップＳＤ７：コンテナ（１））、詳細情報表示部３５９が、図１５に示すように、詳細情報とともに前記コンテナに対応する組立セットとして組み立てられた全ての手術器材の取得数量をリセットする「リセットボタン」を表示させる（ステップＳＤ８）。つまり、コンテナＩＤに対応した詳細情報が要求された場合、詳細情報を確認したユーザによる次の行動として、これまでに組み立てた組立セットをリセットする場合が考えられる。そこで、詳細情報表示部３５９は、詳細情報とともに「リセットボタン」を表示させる。
【００９５】
リセットボタンが選択された場合には（ステップＳＤ９：ＹＥＳ）、セットリスト更新指示部３５７が、手術器材管理サーバ２に対して組立セットリストのリセット指示を送信する（ステップＳＤ１０）。
【００９６】
そして、リセット指示を受信した手術器材管理サーバ２では、組立セット更新部２２６が、セットリスト記憶部２１５に記憶された組立セットリストの全ての器材ＩＤに対応した取得数量をゼロに更新する（ステップＳＤ１１）。これにより、コンテナに対して組み立てた組立セットがリセットされる。
【００９７】
ステップＳＤ７に戻って、器材種別判別部３５６が、識別コードに係る器材種別を器材ＩＤに係るものであると判別した場合には（ステップＳＤ７：器材）、詳細情報表示部３５９が、図１６に示すように、詳細情報とともに「削除ボタン」と「修理・廃棄選択メニュー」を表示させる（ステップＳＤ１２）。つまり、器材ＩＤに対応した詳細情報が要求された場合、詳細情報を確認したユーザによる次の行動として、組み立て間違いのために前記手術器材を組立セットから削除する場合が考えられる。そこで、詳細情報表示部３５９は、詳細情報とともに削除ボタンを表示させる。また、手術器材の損耗、変形および破損の状況に応じて組立セットから削除するとともに、他の組立セットに使用されないように修理を行うか廃棄する必要がある。そこで、本実施形態における詳細情報表示部３５９は、図１７に示すように、詳細情報および「削除ボタン」とともにプルダウン式の「修理・廃棄選択メニュー」を表示させる。
【００９８】
ここで、削除ボタンが選択された場合には（ステップＳＤ１３：ＹＥＳ）、セットリスト更新指示部３５７は、手術器材管理サーバ２に対して組立セットリストから識別コードに係る手術器材の削除指示を送信する（ステップＳＤ１４）。
【００９９】
削除指示を受信した手術器材管理サーバ２では、組立セット更新部２２６が、セットリスト記憶部２１５に記憶された組立セットリストの前記識別コードに係る器材ＩＤに対応した取得数量をデクリメントする（ステップＳＤ１５）。これにより、組み立て間違いをした手術器材を組立セットから削除することができる。
【０１００】
また、修理・廃棄選択メニューの修理または廃棄が選択された場合には（ステップＳＤ１６：ＹＥＳ）、セットリスト更新指示部３５７は、手術器材管理サーバ２に対して組立セットリストから識別コードに係る手術器材の削除指示とともに、前記識別コードに係る手術器材の修理情報または廃棄情報を送信する（ステップＳＤ１７）。
【０１０１】
これに対し、手術器材管理サーバ２では、組立セット更新部２２６が、セットリスト記憶部２１５に記憶された組立セットリストの前記識別コードに係る器材ＩＤに対応した取得数量をデクリメントするとともに、ＩＤ記憶部２１２に記憶された識別コードに対応する修理・廃棄状況を手術器材管理端末３からの修理情報または廃棄情報に基づき更新する（ステップＳＤ１８）。例えば、ＩＤ番号「２」に対応する手術器材の修理・廃棄状況を修理に更新する場合には、図１８に示すように、修理・廃棄状況を使用中の「０」から修理中の「１」に更新する。これにより、手術器材の損耗、変形および破損の状況に応じて組立セットから削除することができる。
【０１０２】
以上で、２度かざし処理が終了し、図１０に示すように、識別コード取得ループ（ステップＳ１〜ステップＳ１’）に戻る。
【０１０３】
次に、識別コード取得ループ（ステップＳ１〜ステップＳ１’）において任意のタイミングで手術器材またはコンテナに関する詳細情報を要求する場合について説明する。本実施形態では、表示手段３１に表示されている前記手術器材または前記コンテナの情報をユーザインターフェースを介して所定の選択動作により選択することにより行う。まず、識別コードの取得回数が１回目である場合は、上述のとおり組立処理が行われ、図１９に示すように、表示手段３１に組立セットリストまたは手術器材の情報が表示される（ステップＳ５）。
【０１０４】
ここで詳細情報要求部３５４が、表示手段３１に表示されている組立セットリストに基づくコンテナ情報や器材情報の一覧において、ユーザインターフェースを介して所定の選択動作により選択されたか否かを判別する（ステップＳ６）。本実施形態における詳細情報要求部３５４は、コンテナ情報または器材情報がタッチパネル式の入力手段３２を用いて長押しされたか否かを判別する。そして、詳細情報要求部３５４が、コンテナ情報または器材情報が長押しされたと判別した場合には（ステップＳ６：ＹＥＳ）、長押しされたコンテナ情報または器材情報に対応した詳細情報が要求されたとして、長押し処理に進む。
【０１０５】
長押し処理では、図２０に示すように、詳細情報要求部３５４が、長押しされたコンテナ情報に対応するコンテナＩＤまたは長押しされた器材情報に対応する器材ＩＤを手術器材管理サーバ２に送信し、前記コンテナＩＤまたは前記器材ＩＤに対応した詳細情報を要求する（ステップＳＥ１）。
【０１０６】
これに対し、手術器材管理サーバ２では、詳細情報記憶部２１７から受信したコンテナＩＤまたは器材ＩＤに対応した詳細情報を取得する（ステップＳＥ２）。そして、詳細情報送信部２３２が、詳細情報取得部２３１により取得した詳細情報を手術器材管理端末３に送信する（ステップＳＥ３）。
【０１０７】
手術器材管理端末３では、表示制御部３５５が詳細情報を受信する（ステップＳＥ４）。そして、器材種別判別部３５６が、詳細情報要求部３５４によって送信されたコンテナＩＤまたは器材ＩＤに係る器材種別を判別する（ステップＳＥ５）。
【０１０８】
ここで器材種別判別部３５６が、器材種別をコンテナＩＤに係るものであると判別した場合には（ステップＳＥ５：コンテナ（１））、詳細情報表示部３５９が、図２１に示すように、詳細情報のみを表示手段３１に表示させる（ステップＳＥ６）。
【０１０９】
一方、器材種別判別部３５６が、器材種別を器材ＩＤに係るものであると判別した場合には（ステップＳＥ５：器材（０））、詳細情報表示部３５９が、図２２に示すように、詳細情報とともに「除外ボタン」および「数量固定選択ボタン」を表示させる（ステップＳＢ７）。
【０１１０】
ここで、器材ＩＤはユーザインターフェースを介して所定の選択動作により選択されているため、２度かざしの場合のような個々の手術器材を識別する識別コードに対する詳細情報の要求ではなく、手術器材の種別に対して付された器材ＩＤに対する詳細情報の要求である。よって、前記詳細情報を確認したユーザによる次の行動として、組立セットリストから前記器材ＩＤに対応する手術器材全体を除外する場合が考えられる。そこで、詳細情報表示部３５９は、詳細情報とともに「除外ボタン」を表示させる。
【０１１１】
また、除外ボタンにより手術器材を除外した場合の他、組立処理内で組立セットリストにない手術器材を追加する場合、または、組立セットリストにおける手術器材の数量に対して組立処理により取得された取得数量が異なる場合において、変更された組立セットの構成を次回以降のセット組立工程における組立セットリストの構成に反映させたい場合がある。そこで、詳細情報表示部３５９は、器材ＩＤがユーザインターフェースを介して所定の選択動作により選択された場合には、詳細情報とともに「数量固定選択ボタン」を表示させる。
【０１１２】
ここで、除外ボタンが選択された場合には（ステップＳＥ８：ＹＥＳ）、セットリスト更新指示部３５７は、手術器材管理サーバ２に対して組立セットリストから器材ＩＤに係る手術器材を除外する除外指示を送信する（ステップＳＥ９）。
【０１１３】
除外指示を受信した手術器材管理サーバ２では、組立セット更新部２２６が、セットリスト記憶部２１５に記憶された組立セットリストの器材ＩＤに対応した取得数量をゼロに更新する（ステップＳＥ１０）。
【０１１４】
また、数量固定選択ボタンにより、非固定状態が選択された場合には（ステップＳＥ１１：ＹＥＳ）、セットリスト更新指示部３５７が、手術器材管理サーバ２に対して器材ＩＤに対応した数量固定フラグを非固定状態に変更する指示を送信する（ステップＳＥ１２）。なお、図示しないが、数量固定フラグが非固定状態の場合において、数量固定選択ボタンにより、固定状態が選択された場合には、セットリスト更新指示部３５７が、手術器材管理サーバ２に対して器材ＩＤに対応した数量固定フラグを固定状態に変更する指示を送信する。
【０１１５】
これに対し、手術器材管理サーバ２において非固定状態への変更指示を受信した場合は、組立セット更新部２２６が、セットリスト記憶部２１５に記憶された組立セットリストの器材ＩＤに対応した数量固定フラグを固定状態から非固定状態に変更する（ステップＳＥ１３）。また、図示しないが、固定状態への変更指示を受信した場合は、組立セット更新部２２６が、セットリスト記憶部２１５に記憶された組立セットリストの器材ＩＤに対応した数量固定フラグを非固定状態から固定状態に変更する。
【０１１６】
以上で、長押し処理が終了し、図１０に示すように、識別コード取得ループ（ステップＳ１〜ステップＳ１’）に戻る。
【０１１７】
次に、手術器材管理端末３では、登録ボタンが選択されることにより識別コード取得ループが終了する（ステップＳ１’）。そして、登録指示送信部３５８が手術器材管理サーバ２に対して登録処理の指示情報を送信する（ステップＳ７）。
【０１１８】
これに対し、手術器材管理サーバ２では、手術器材管理端末３から登録処理の指示情報を受信すると登録処理を実行する。登録処理では、図２３に示すように、まず組立セット確定部２２９が、セットリスト記憶部２１５に記憶されている器材ＩＤに対応付けられた数量、取得数量および数量固定フラグをセットＩＤに対応付けて組立器材テーブル記憶部２１６に記憶させる（ステップＳＦ１）。これにより、今回のセット組立で組み立てられたコンテナＩＤに対応する組立セットを、セット組立工程以降の取揃え工程および手術後チェック工程において前記セットＩＤにより管理できるようになる。
【０１１９】
次に、テンプレート更新部２２８が、数量固定フラグの状態を判別して、セットリスト記憶部２１５に記憶されている器材ＩＤに対応付けられた取得数量を次回以降においてコンテナＩＤに対応付けられた組立セットリストに反映させる（ステップＳＦ２〜ステップＳＦ７）。具体的には、まずテンプレート更新部２２８が、セットリスト記憶部２１５に記憶されている組立セットリストの並び順に基づき器材ＩＤ数を取得し、これを終了時の処理回数ｉとする（ステップＳＦ２）。次に、実行中の処理回数ｋの初期化を行う（ステップＳＦ３）。次に、実行中の処理回数ｋのカウントを開始する（ステップＳＦ４）。そして、テンプレート更新部２２８が、組立セットリストにおけるｋ番目の器材ＩＤに対応した数量固定フラグに応じて固定状態か非固定状態かを判別する（ステップＳＦ５）。ここで、テンプレート更新部２２８が、数量固定フラグを固定状態に割り当てられた「０」と判別した場合には（ステップＳＦ５：ＮＯ）、ｋ番目の前記器材ＩＤに関するセット組立テンプレート記憶部２１４の更新は行わない。一方、テンプレート更新部２２８が数量固定フラグを非固定状態に割り当てられた「１」と判別した場合には（ステップＳＦ５：ＹＥＳ）、テンプレート更新部２２８が、セット組立テンプレート記憶部２１４においてコンテナＩＤに対応するｋ番目の器材ＩＤの数量を取得数量に更新する（ステップＳＦ６）。そして、テンプレート更新部２２８は、実行中の処理回数ｋが終了時の処理回数ｉとなるまで処理を繰り返す（ステップＳＦ７：ＮＯ）。
【０１２０】
一方、実行中の処理回数ｋが終了時の処理回数ｉになった場合には（ステップＳＦ７：ＹＥＳ）、次のステップＳＦ８に進む。
【０１２１】
ステップＳＦ８では、組立セット確定部２２９が、登録処理時の全ての識別コードに対応するＩＤ記憶部２１２のセットＩＤに、ステップＳＦ１において組立セットに対応付けたセットＩＤと共通するＩＤを記憶させる。これにより、識別コードと、セットＩＤとが対応付けられ、例えば、手術後チェック工程において、手術器材の紛失があった場合に、どの種別の手術器材が紛失したかのみならず、どの識別コードが付された手術器材が紛失したかを管理できるようになる。
【０１２２】
そして、器材状況更新部２３０が、手術器材およびコンテナがセット組立工程を終了したものとして、ＩＤ記憶部２１２の器材状況をセット組立終了に割り当てられた「１」に更新する（ステップＳＦ９）。以上により、登録処理および組立処理が終了する。
【０１２３】
以上のような本実施形態の手術器材管理端末３、手術器材管理端末用プログラム３ａおよび手術器材管理システム１によれば、以下の効果を奏することができる。
１．識別コードの取得に伴う一連の作業として、識別コードの２度かざしまたは表示画面に対する所定の選択動作のみで手術器材またはコンテナに関する詳細情報にアクセスすることができ、手術器材や組立に関わる必要な処理を効率的に行うことができる。
２．２度かざし処理においてコンテナの詳細情報を表示した場合には、リセットボタンを表示させることによって、コンテナに組み立てられた手術器材のリセットを行うことができる。
３．２度かざし処理において手術器材の詳細情報を表示した場合には、削除ボタンを表示させることによって、前記手術器材を組立セットから削除することができる。
４．削除ホタンとともに修理・廃棄選択メニューを表示させることによって、手術器材を組立セットリストからの削除するとともに、削除した手術器材の修理処理または廃棄処理を連続して行うことができる。
５．長押し処理においては手術器材の詳細情報を表示した場合には、除外ボタンを表示させることによって、コンテナＩＤに対応する組立セットリストから前記手術器材の種別全体を除外することができる。
６．長押し処理においては手術器材の詳細情報を表示した場合には、数量固定選択ボタンを表示させることによって、組み立てられた組立セットの手術器材およびその数量を次回以降のセット組立工程における組立セットの数量に反映させることができる。
【０１２４】
なお、本発明に係る手術器材管理端末、手術器材管理端末用プログラムおよび手術器材管理システムは、前述した一実施形態に限定されるものではなく、適宜変更することができる。例えば、本実施形態ではセット組立工程における詳細情報の表示に関して説明したが、取揃え工程および手術後チェック工程のように各リストに基づき行う工程については、２度かざし処理または長押し処理にて詳細情報を表示させるようにしてもよい。
【０１２５】
また、本実施形態では、組立処理を手術器材管理サーバ２側で実行したが、図２４に示すように、前記手術器材管理サーバ２側では、識別コードに対応した器材ＩＤまたはコンテナＩＤを含む組立セットリストを前記手術器材管理端末３に送信するＩＤ送信処理を実行し、前記手術器材管理端末３において前記手術器材管理サーバ２から受信した前記器材ＩＤ、前記コンテナＩＤおよび前記組立セットリストに基づき組立処理を実行するようにしてもよい。  
【符号の説明】
【０１２６】
１  手術器材管理システム
２  手術器材管理サーバ
２ａ  手術器材管理プログラム
３  手術器材管理端末
３ａ  手術器材管理端末用プログラム
２１  サーバ記憶手段
２２  サーバ演算処理手段
３１  表示手段
３２  入力手段
３３  識別コード読取手段
３４  端末記憶手段
３５  端末演算処理手段
２１１  プログラム記憶部
２１２  ＩＤ記憶部
２１３  マスター情報記憶部
２１４  セット組立テンプレート記憶部
２１５  セットリスト記憶部
２１６  組立器材テーブル記憶部
２１７  詳細情報記憶部
２２１  ＩＤ取得部
２２２  器材種別判別部
２２３  セットリスト取得部
２２４  セットリスト送信部
２２５  器材ＩＤ照合部
２２６  組立セット更新部
２２７  数量固定フラグ変更部
２２８  テンプレート更新部
２２９  組立セット確定部
２３０  器材状況更新部
２３１  詳細情報取得部
２３２  詳細情報送信部
３４１  プログラム記憶部
３４２  識別コード記憶部
３５１  識別コード取得部
３５２  識別コード送信部
３５３  識別コード取得回数判別部
３５４  詳細情報要求部
３５５  表示制御部
３５６  器材種別判別部
３５７  セットリスト更新指示部
３５８  登録指示送信部
３５９  詳細情報表示部
【図１】
2018183357.tif 000003
【図２】
2018183357.tif 000004
【図３】
2018183357.tif 000005
【図４】
2018183357.tif 000006
【図５】
2018183357.tif 000007
【図６】
2018183357.tif 000008
【図７】
2018183357.tif 000009
【図８】
2018183357.tif 000010
【図９】
2018183357.tif 000011
【図１０】
2018183357.tif 000012
【図１１】
2018183357.tif 000013
【図１２】
2018183357.tif 000014
【図１３】
2018183357.tif 000015
【図１４】
2018183357.tif 000016
【図１５】
2018183357.tif 000017
【図１６】
2018183357.tif 000018
【図１７】
2018183357.tif 000019
【図１８】
2018183357.tif 000020
【図１９】
2018183357.tif 000021
【図２０】
2018183357.tif 000022
【図２１】
2018183357.tif 000023
【図２２】
2018183357.tif 000024
【図２３】
2018183357.tif 000025
【図２４】
2018183357.tif 000026
【図２５】
2018183357.tif 000027